(57)【要約】【課題】排気管に複数の触媒が配置され、触媒間からＥＧＲ通路が分岐し、ＥＧＲ通路よりも下流側の触媒を排気浄化機能維持のために昇温させる必要があり、ＥＧＲ通路上に冷却部が存在する構成において、冷却部への熱伝導を抑制することによって、下流側の触媒を必要な温度に昇温しても、上流側の触媒が昇温し過ぎて熱劣化しない内燃機関の排気浄化装置を提供する。【解決手段】上流触媒４１と下流触媒４２との中間にある低圧ＥＧＲ通路６の入口と、ＥＧＲクーラ（冷却部）６１との間の部位に、熱伝導抑制部６２を配置してＥＧＲクーラ６１への熱伝導を抑制する。熱伝導抑制部６２は、熱伝導性能の低い非金属部材とする。また熱伝導抑制部は低圧ＥＧＲ通路６の配管よりも薄厚の形状の部位としてもよい。さらに熱伝導抑制部は、フランジ部により挟まれた薄肉のメタルシールとしてもよい。【選択図】図１
2009091905.tif 000002
【特許請求の範囲】
【請求項１】
排気通路の相対的上流側に配置された排気浄化のための上流触媒と、
排気通路の相対的下流側に配置された排気浄化のための下流触媒と、
前記排気通路における前記上流触媒と前記下流触媒との間の部位から分岐して吸気通路へと排気を還流する排気還流通路と、
その排気還流通路に備えられて還流される排気を冷却する冷却部と、
前記下流触媒を排気浄化機能の維持のために昇温させる昇温手段と、
その昇温手段によって前記下流触媒が昇温されたときに、前記排気還流通路において前記冷却部への熱伝導を抑制する熱伝導抑制部とを備えた内燃機関の排気浄化装置。
【請求項２】
前記熱伝導抑制部は、前記排気還流通路における前記冷却部よりも前記排気通路側の一部において非金属材料で構成された部位である請求項１に記載の内燃機関の排気浄化装置。
【請求項３】
前記非金属材料はセラミックを含む材料である請求項２に記載の内燃機関の排気浄化装置。
【請求項４】
前記非金属材料はグラスウールを含む材料である請求項２に記載の内燃機関の排気浄化装置。
【請求項５】
前記熱伝導抑制部は管形状を有する請求項１ないし４のいずれか１項に記載の内燃機関の排気浄化装置。
【請求項６】
前記熱伝導抑制部の管形状の軸方向長は２ミリメートル以上である請求項５に記載の内燃機関の排気浄化装置。
【請求項７】
前記排気還流通路は管形状を有し、
前記熱伝導抑制部は、前記排気還流通路における前記冷却部よりも前記排気通路側の一部において薄厚とされた部位である請求項５に記載の内燃機関の排気浄化装置。
【請求項８】
前記熱伝導抑制部は、前記排気還流通路における前記冷却部よりも前記排気通路側の一部の部位の配管を結合する薄肉のメタルシールである請求項１に記載の内燃機関の排気浄化装置。
【発明の詳細な説明】
【技術分野】
【０００１】
本発明は内燃機関の排気浄化装置に関する。
【背景技術】
【０００２】
ディーゼルエンジン等の内燃機関に対する排気浄化技術として、排気管を通過する排気を吸気管側へ還流して、シリンダ内の燃焼反応を抑えてエンジンからの窒素酸化物（ＮＯｘ）等の排出を低減する排気還流（ＥＧＲ）が知られている。ターボチャージャー搭載のエンジンの場合、ＥＧＲは、コンプレッサ下流とタービン上流を連結する高圧ＥＧＲのみでなく、コンプレッサ上流とタービン下流を連結する低圧ＥＧＲとを併置する構造が用いられるようになってきている。
【０００３】
またエンジンからの排出中に含まれるＮＯｘを還元浄化するためのＬＮＴ（Ｌｅａｎ  Ｎｏｘ  Ｔｒａｐ）や、排気中に含まれる粒子状物質（ＰＭ）を除去するためのやＤＰＦ（Ｄｉｅｓｅｌ  Ｐａｒｔｉｃｕｌａｔｅ  Ｆｉｌｔｅｒ）等の技術も周知である。ＬＮＴやＤＰＦには触媒を担持する構造がひろく用いられる。また排気管上には排気中の炭化水素（ＨＣ）の浄化などのために酸化触媒をＬＮＴ，ＤＰＦとは別に配置する場合もある。
【０００４】
例えば下記特許文献１では、低圧ＥＧＲ通路上にＤＰＦを配置して、高圧ＥＧＲ通路と低圧ＥＧＲ通路における排気ガスの還流量を排気温度に応じて制御している。こうした構成によって、高負荷時においても高いＥＧＲ率とＮＯｘ削減性能を達成できると主張されている。
【０００５】
【特許文献１】特開２００４−１６２６７４号公報
【発明の開示】
【発明が解決しようとする課題】
【０００６】
ターボチャージャーを装備し、かつＬＮＴ、ＤＰＦ、酸化触媒のうちのいくつかとＥＧＲとをともに装備する場合、未燃ＨＣの還流を避ける観点から、低圧ＥＧＲ入口（つまり低圧ＥＧＲが排気管から分岐する部位）よりも上流に触媒を配置する、つまりＬＮＴ，ＤＰＦ，酸化触媒のうちのひとつを低圧ＥＧＲ入口よりも上流に配置する構成が合理的である。
【０００７】
通常ＥＧＲ通路にはＥＧＲクーラが配置されることによって還流される排気の温度が下げられて、より大量の排気が還流される。このＥＧＲクーラが存在することにより、排気管における低圧ＥＧＲ入口の上流側と下流側とのそれぞれに触媒が配置されている場合、排気管を通る排気の持つ熱がＥＧＲクーラから放熱されることによって、上流側の触媒と下流側の触媒との間に温度差が発生することとなる。
【０００８】
よく知られているとおり、ＬＮＴやＤＰＦは硫黄被毒再生やＤＰＦ再生のために昇温させる必要がある（摂氏６００度から７００度）。したがって上記下流側の触媒がＬＮＴやＤＰＦ（に担持された触媒）であって、これを昇温させる場合、上記温度差が存在するために、上流側の触媒は下流側の触媒以上に昇温させることとなる。
【０００９】
しかし触媒のなかには、適切な温度範囲を越えて昇温されると触媒機能が低下する熱劣化と呼ばれる現象が生じてしまう場合がある。つまり以上をまとめると、排気管における低圧ＥＧＲ入口の上流側と下流側とのそれぞれに触媒が配置されており、下流側の触媒を昇温させる場合には、上流側の触媒が昇温し過ぎて熱劣化する危険性がある。
【００１０】
逆に熱劣化を避けるために上流側の触媒を昇温し過ぎないようにすると、下流側の触媒が必要な温度まで昇温しなくなる。こうした触媒温度の例が図５（ａ）に示されている。このようなトレードオフの問題は、上記特許文献１を含めて従来技術では考慮されていない。
【００１１】
本発明が解決しようとする課題は、上記問題点に鑑み、排気管に複数の触媒が配置され、触媒間からＥＧＲ通路が分岐し、ＥＧＲ通路よりも下流側の触媒を排気浄化機能維持のために昇温させる必要があり、ＥＧＲ通路上に冷却部が存在する構成において、冷却部への熱伝導を抑制することによって、ＥＧＲ通路よりも上流側の触媒と下流側の触媒との温度差を低減して、下流側の触媒を必要な温度に昇温しても、上流側の触媒が昇温し過ぎて熱劣化しない内燃機関の排気浄化装置を提供することである。
【課題を解決するための手段及び発明の効果】
【００１２】
上記課題を解決するために、本発明に係る内燃機関の排気浄化装置は、排気通路の相対的上流側に配置された排気浄化のための上流触媒と、排気通路の相対的下流側に配置された排気浄化のための下流触媒と、前記排気通路における前記上流触媒と前記下流触媒との間の部位から分岐して吸気通路へと排気を還流する排気還流通路と、その排気還流通路に備えられて還流される排気を冷却する冷却部と、前記下流触媒を排気浄化機能の維持のために昇温させる昇温手段と、その昇温手段によって前記下流触媒が昇温されたときに、前記排気還流通路において前記冷却部への熱伝導を抑制する熱伝導抑制部とを備えたことを特徴とする。
【００１３】
これにより本発明に係る内燃機関の排気浄化装置では、昇温手段によって下流触媒が昇温されたときに、熱伝導抑制部によって排気還流通路における冷却部への熱伝導を抑制するので、上流触媒と下流触媒との間の温度差が抑制されて、その結果、下流触媒を必要温度へ昇温したときに上流触媒が昇温し過ぎて熱劣化する可能性が低減される。したがって、下流触媒を排気浄化性能維持のために適切に昇温できる。そのときに上流触媒を熱劣化させることもないので、上流触媒、下流触媒による排気浄化性能を高く維持できる排気浄化装置が構成できる。
【００１４】
また前記熱伝導抑制部は、前記排気還流通路における前記冷却部よりも前記排気通路側の一部において非金属材料で構成された部位であるとしてもよい。これにより、非金属材料は金属材料よりも熱伝導率が低いので、高い熱伝導抑制効果が得られて、上流触媒、下流触媒による排気浄化性能を高く維持できる排気浄化装置が構成できる。
【００１５】
また前記非金属材料はセラミックを含む材料であるとしてもよい。セラミックは金属よりも熱伝導率が低いので、これによりセラミックを用いることで簡易に高い熱伝導抑制効果が得られて、上流触媒、下流触媒による排気浄化性能を高く維持できる排気浄化装置が構成できる。
【００１６】
また前記非金属材料はグラスウールを含む材料であるとしてもよい。これによりグラスウールは金属よりも熱伝導率が低いので、これによりグラスウールを用いることで簡易に高い熱伝導抑制効果が得られて、上流触媒、下流触媒による排気浄化性能を高く維持できる排気浄化装置が構成できる。
【００１７】
また前記熱伝導抑制部は管形状を有するとしてもよい。これにより熱伝導抑制部を配管の一部として組み込むことが容易となるので、配置しやすい構成によって、上流触媒、下流触媒による排気浄化性能を高く維持できる排気浄化装置が構成できる。
【００１８】
また前記熱伝導抑制部の管形状の軸方向長は２ミリメートル以上であるとしてもよい。これにより管形状における軸方向の熱伝導を効果的に抑制することができる。特に軸方向長を２ミリメートル以上とすることによって、単なるシール効果ではなく熱伝導抑制の効果が顕著となる。よって高い熱伝導抑制効果によって、上流触媒、下流触媒による排気浄化性能を高く維持できる排気浄化装置が構成できる。
【００１９】
また前記排気還流通路は管形状を有し、前記熱伝導抑制部は、前記還流排気通路における前記冷却部よりも前記排気通路側の一部において薄厚とされた部位であるとしてもよい。これにより、薄厚の部位は熱伝導性能が低いので、排気還流通路の一部を薄厚とする簡易な形状変更あるいは加工によって熱伝導抑制効果が得られる。よって簡易な形状変更あるいは加工によって、上流触媒、下流触媒による排気浄化性能を高く維持できる排気浄化装置が構成できる。
【００２０】
また前記熱伝導抑制部は、前記排気還流通路における前記冷却部よりも前記排気通路側の一部の部位の配管を結合する薄肉のメタルシールであるとしてもよい。これにより、メタルシールが薄肉であることにより熱伝導が抑制されるので、薄肉のメタルシールで配管を結合するとの簡易な構造によって、シール効果で排気の漏れがないとともに、かつ高い熱伝導抑制効果が得られる。よって簡易な構造で排気の漏れが無く、上流触媒、下流触媒による排気浄化性能を高く維持できる排気浄化装置が構成できる。
【発明を実施するための最良の形態】
【００２１】
以下で本発明の内燃機関の排気浄化装置の実施例１について、添付図面を参照しつつ説明する。まず図１には、本発明の実施例１としての排気浄化装置１全体の概要図が示されている。全体の主要な構成は、ディーゼルエンジン２（エンジン）を中心として、吸気管３、排気管４、高圧ＥＧＲ通路５、低圧ＥＧＲ通路６、ターボチャージャー７からなる。
【００２２】
エンジン２へは、吸気管３から空気（新気）が供給され、排気は排気管４へと排出される。ディーゼルエンジン２へは図示しないインジェクタからシリンダ内へと燃料が供給される。燃料の噴射時刻及び噴射量は、要求トルク、エンジンの回転数等に基づき、図示しないＥＣＵ（電子制御装置）で決定される。ターボチャージャー７は吸気管３上のコンプレッサ７１と排気管４上のタービン７２とからなる。
【００２３】
図１の排気浄化装置１においては、排気還流のためのＥＧＲ通路は２系統装備されている。ターボチャージャー７よりもエンジン２に近い位置でのＥＧＲは高圧ＥＧＲ、ターボチャージャー７より遠い位置でのＥＧＲは低圧ＥＧＲと呼ばれる。高圧ＥＧＲ通路５、低圧ＥＧＲ通路６は排気管４から排気を吸気管３へと還流する。これによりエンジン２の筒内における燃焼反応が抑えられて、エンジン２からのＮＯｘの排出などが抑制される。
【００２４】
またＥＧＲバルブ５９，６９の開度によりＥＧＲ量が調節される。高圧ＥＧＲ通路５、低圧ＥＧＲ通路６にはＥＧＲクーラ５１，６１が装備されて、還流される排気温度が下げられる。また吸気管３にもクーラ３１が装備されている。ＥＧＲクーラ５１，６１、クーラ３１は例えば水冷式であるとすればよい。
【００２５】
このようにＥＧＲ通路が２系統装備されるひとつの理由は、高圧ＥＧＲ通路５のみでは高負荷時にターボチャージャー７の過給による吸気圧上昇分により十分なＥＧＲ量が確保できないことがあるため、ターボチャージャー７の過給による吸気圧上昇の影響を受けない低圧ＥＧＲ通路６によってＥＧＲ量を確保することである。
【００２６】
排気管４には、低圧ＥＧＲ通路６の入口よりも上流側に上流触媒４１が、下流側に下流触媒４２が配置されている。上流触媒４１と下流触媒４２の例が図６に示されている。図６（ａ）の配置例は、上流触媒４１がＤＯＣ（Ｄｉｅｓｅｌ  Ｏｘｉｃｉｄａｔｉｏｎ  Ｃａｔａｌｙｓｔ、酸化触媒）であり、下流触媒４２がＬＮＴである場合である。
【００２７】
図６（ｂ）の配置例は、上流触媒４１がＤＯＣであり、下流触媒４２がＤＰＦである場合である。図６（ｂ）の配置例は、上流触媒４１がＣ−ＤＰＦ（酸化触媒付きＤＰＦ）であり、下流触媒４２がＬＮＴである場合である。なお上の記載のように、本明細書の記載では、ＬＮＴ、ＤＰＦ、Ｃ−ＤＰＦ、ＤＯＣと、それに担持された触媒とを同一視した表現を用いる場合がある。
【００２８】
図６における下流側のＬＮＴやＤＰＦの役割は、上述のようにＮＯｘの吸蔵還元やＰＭの捕集である。また図６（ａ）におけるＤＯＣの役割としては、上述のとおり低圧ＥＧＲ通路６へ未燃ＨＣの還流を回避することがある。またＤＯＣによるＨＣの軽質化によって下流のＬＮＴにおけるＮＯｘの還元を効率よく行える効果もある。
【００２９】
図６（ｂ）におけるＤＯＣの役割は、低圧ＥＧＲ通路６へ未燃ＨＣの還流を回避することや、ＤＯＣで排気を昇温して下流のＤＰＦの再生に用いることがある。図６（ｃ）でのＣ−ＤＰＦの役割としては、ＤＰＦとしてのＰＭの捕集があるとともに、担持された触媒によって、未燃ＨＣの還流の抑制、ＤＰＦ再生時の昇温、下流のＬＮＴのＮＯｘ還元のためのＨＣの軽質化などの複合的な役割がある。
【００３０】
低圧ＥＧＲ通路６のＥＧＲクーラよりも排気管５側の位置には、本発明に係る熱伝導抑制部６２が備えられている。熱伝導抑制部６２を配置した理由を以下で説明する。
【００３１】
図６で示されているとおり、下流触媒４２としてＬＮＴあるいはＤＰＦが用いられる。ＬＮＴの場合、担持された吸蔵剤が吸蔵すべきＮＯｘでなく燃料に含まれる硫黄成分と結合して、ＮＯｘ吸蔵性能が低下する硫黄（Ｓ）被毒が起きることが知られている。ＬＮＴにおいてＳ被毒が進行する毎に、ＥＣＵからの指令でポスト噴射（昇温手段）などを行うことによりＬＮＴを摂氏６００度から７００度ぐらいに昇温してＬＮＴから硫黄分を除去するＳ被毒再生を行わなければならない。
【００３２】
また下流触媒４２がＤＰＦの場合、ＤＰＦに捕集された粒子状物質（ＰＭ）の量が大きくなったら、同様にポスト噴射などの方法でＤＰＦを摂氏６００度から７００度ぐらいに昇温してＰＭを燃焼して除去するＤＰＦ再生を行わなければならない。
【００３３】
このように下流触媒４２の温度をポスト噴射などの方法で昇温するが、そのときに低圧ＥＧＲ通路６のＥＧＲクーラ６１が排気から熱を奪うので、その下流側にある下流触媒４２の温度が低下して、上流触媒４１と下流触媒４２との間に温度差が発生することとなる。そして上流触媒４１であるＤＯＣやＣ−ＤＰＦに担持される触媒として白金などが用いられる場合が多いが、白金は昇温しすぎると熱劣化を起こす性質を有する。
【００３４】
これにより上でも述べたとおり、下流触媒４２を必要な高温にすると、上流触媒４１が昇温し過ぎて熱劣化し、逆に上流触媒４１の熱劣化を避けると下流触媒４２が必要な温度まで昇温しないトレードオフが生じる。熱伝導抑制部６２は、この上流触媒４１と下流触媒４２との間の温度差を抑制するために配置されている。
【００３５】
熱伝導抑制部６２の詳細は図２に示されている。低圧ＥＧＲ通路６の配管のうちでＥＧＲクーラ６１よりも排気管側の一部を非金属部材に替えた、その非金属部材が熱伝導抑制部６２である。非金属部材は金属部材よりも熱伝導性能が低いので、排気の有する熱が排気管４から低圧ＥＧＲ通路６の配管に伝わってＥＧＲクーラ６１で冷却される際に、その途中で熱伝導抑制部６２により熱の伝導が抑制あるいは遮断される。
【００３６】
熱伝導抑制部６２で用いられる非金属材料としては、熱伝導率の低いセラミックを含む材料や、グラスウールを含む材料などが好適である。これらの材料は耐熱性にも優れているので、Ｓ再生やＤＰＦ再生など配管が高温になる状況にも適している。
【００３７】
図２のとおり、熱伝導抑制部６２の形状は管形状である。したがって配管の一部でなく、管形状の周方向すべてで非金属部材により熱伝導を抑えるので、より高い熱伝導効果が得られる。この管形状の軸方向の長さは２ミリメートル以上であれば熱伝導抑制の効果が高い。１０ミリメートル以上であればさらに高い熱伝導抑制性能が得られる。
【００３８】
次に本発明の実施例２を説明する。実施例２では、実施例１で用いられた熱伝導抑制部６２が、熱伝導抑制部６３に変更される。それ以外は実施例１と同じである。熱伝導抑制部６３は図３に示されている。低圧ＥＧＲ通路６の配管のうちでＥＧＲクーラ６１よりも排気管側の一部の配管を薄厚にした、その薄厚部分が熱伝導抑制部６３である。
【００３９】
薄厚構造にすれば熱の通る断面積が狭くなり熱伝導性能が低下するので、排気の有する熱が排気管４から低圧ＥＧＲ通路６の配管に伝わってＥＧＲクーラ６１で冷却される際に、その途中で熱伝導抑制部６３により熱の伝導が抑制あるいは遮断される。なお熱伝導抑制部６３は、低圧ＥＧＲ通路６の配管の図３に示された部位に厚さを薄くする加工を施して形成すればよい。また熱伝導抑制部６３は低圧ＥＧＲ通路６の配管と別部材として形成した後に接合してもよい。なお熱伝導抑制部６３は、熱伝導抑制部６２のような非金属部材の使用が困難な場合に好適である。
【００４０】
次に本発明の実施例３を説明する。実施例３では、実施例１で用いられた熱伝導抑制部６２が、熱伝導抑制部６４に変更される。それ以外は実施例１と同じである。熱伝導抑制部６４は図４に示されている。
【００４１】
熱伝導抑制部６４は、フランジ部６４ａ、６４ｂとメタルシール６４ｃ、ボルト６４ｄ、ナット６４ｅから構成される。フランジ部６４ａ、６４ｂの間にメタルシール６４ｃが挟まれて、図示上下からボルト６４ｄとナット６４ｅとによって排気の漏れがないように締結される。この構造においては、両フランジ部６４ａ、６４ｂとメタルシール６４ｃ間に接着などがなされていないので、熱伝導を抑制する効果が高い。
【００４２】
またメタルシール６４ｃは薄肉構造とすればよい。薄肉構造にすれば熱が通る断面積が狭くなるので熱伝導性能が低下する。よって排気の有する熱が排気管４から低圧ＥＧＲ通路６の配管に伝わってＥＧＲクーラ６１で冷却される際に、その途中で、接着されていない両フランジ部６４ａ、６４ｂとメタルシール６４ｃ間で熱伝導が大きく抑制され、さらに薄肉のメタルシール６４ｃにより熱の伝導が抑制あるいは遮断される。なおメタルシール６４ｃを、熱伝導率の低い、例えば樹脂系の材料のシールに置き換えれば、熱伝導抑制効果がさらに高まり好適である。
【００４３】
以上説明された熱伝導抑制部６２，６３，６４を用いることによる上流触媒４１と下流触媒４２の温度の例が図５（ｂ）に示されている。同図では、上流触媒４１と下流触媒４２との温度差が抑制されて、それにより、上流触媒４１が熱劣化しない温度となり、下流触媒４２が必要な高温に達することが同時に達成できている。
【００４４】
なお上の実施例で内燃機関はディーゼルエンジンでなく、リ−ンバーンガソリンエンジン等、リーン燃焼を行う他のエンジンでもよい。
【図面の簡単な説明】
【００４５】
【図１】本発明の実施例１における排気浄化装置の概要図。
【図２】実施例１における熱伝導抑制部を示す図。
【図３】実施例２における熱伝導抑制部を示す図。
【図４】実施例３における熱伝導抑制部を示す図。
【図５】上流触媒と下流触媒との温度の例を示す図。
【図６】上流触媒と下流触媒との配置例を示す図。
【符号の説明】
【００４６】
１    排気浄化装置
２    ディーゼルエンジン（エンジン、内燃機関）
３    吸気管（吸気通路）
４    排気管（排気通路）
５    高圧ＥＧＲ通路
６    低圧ＥＧＲ通路（排気還流通路）
７    ターボチャージャー
４１    上流触媒
４２    下流触媒
５１、６１    ＥＧＲクーラ（冷却部）
６２、６３、６４    熱伝導抑制部
【図１】
2009091905.tif 000003
【図２】
2009091905.tif 000004
【図３】
2009091905.tif 000005
【図４】
2009091905.tif 000006
【図５】
2009091905.tif 000007
【図６】
2009091905.tif 000008